(57)【特許請求の範囲】
【請求項１】
電子機器に取り付けて使用されるスイッチ・インレットユニットであって、
電源スイッチと、インレットと、前記電源スイッチおよび前記インレットを収容するケース本体と、当該ケース本体に着脱可能な蓋体とを備え、
前記電源スイッチの端子と前記インレットの端子とは、前記ケース本体の内部で電気的に接合され、
前記電源スイッチの操作部分と前記インレットの挿入孔とが、前記ケース本体の同一面側に並んでいて、
前記蓋体は、
不要放射抑制素子を装着するための突起部を有し、
前記突起部には、電源配線を貫通させる貫通孔があり、
当該貫通孔に電源配線が貫通していることを特徴とするスイッチ・インレットユニット。
【請求項２】
請求項１記載のスイッチ・インレットユニットにおいて、
前記突起部に不要放射抑制素子を装着していることを特徴とするスイッチ・インレットユニット。
【請求項３】
請求項１及び２のいずれか一項記載のスイッチ・インレットユニットにおいて、
前記不要放射抑制素子は、フェライトコアであることを特徴とするスイッチ・インレットユニット。
【請求項４】
少なくとも筐体と、スイッチ・インレットユニットと、電源ユニットと、コネクタユニットと、ディスクユニットとを備えるエンタテインメント装置において、
前記スイッチ・インレットユニットは、
電源スイッチと、インレットと、前記電源スイッチおよび前記インレットを収容するケース本体と、当該ケース本体に着脱可能な蓋体とを備え、
前記電源スイッチの端子と前記インレットの端子とは、前記ケース本体の内部で電気的に接合され、
前記電源スイッチの操作部分と前記インレットの挿入孔とが、前記ケース本体の同一面側に並んでいて、
前記蓋体は、
不要放射抑制素子を装着するための突起部を有し、
前記突起部には、電源配線を貫通させる貫通孔があり、
当該貫通孔を貫通している電源配線が前記電源ユニットへ接続されていて、
前記操作部分と前記挿入孔とが並んでいる面がエンタテインメント装置から露出するように前記筐体に取り付けられていて、
前記電源ユニットは、前記スイッチ・インレットユニットを介してエンタテインメント装置外部から電源供給を受けることを特徴とするエンタテインメント装置。
【請求項５】
請求項４記載のエンタテインメント装置において、
前記突起部に不要放射抑制素子を装着していることを特徴とするエンタテインメント装置。
【請求項６】
請求項４及び請求項５のいずれか一項に記載のエンタテインメント装置において、
前記不要放射抑制素子は、フェライトコアであることを特徴とするエンタテインメント装置。
【発明の詳細な説明】
【０００１】
【発明の属する技術分野】
本発明は、電源スイッチとインレットとをケースに収容したスイッチ・インレットユニットに関する。
【０００２】
【従来の技術】
ＡＣ電源の供給を受けて動作するエンタテインメント装置９００において、外部から電源供給を受ける電源コードを着脱可能にしたときは、エンタテインメント装置９００本体にＡＣ電源のインレット９０２を備える。また、そのエンタテインメント装置９００が電源スイッチ９０１を備える場合は、ＡＣインレット９０２とは別個に独立して備えることが通常である。このときの外観の様子を図９に示す。
【０００３】
【発明が解決しようとする課題】
このため、従来は、エンタテインメント装置９００の組み立ての際、スイッチ９０１とインレット９０２を別々に取り付け、配線も別々に行わなければならなかった。この結果、組立てに手間がかかった。
【０００４】
また、電源配線からの不要放射を抑制するため、エンタテインメント装置内部の配線にフェライトコア等の不要放射抑制素子を装着しなければならない。しかし、従来は、スイッチ等を組み立てて、配線するときに不要放射抑制素子をエンタテインメント装置内の配線に装着しなけらばならず、組立て作業の邪魔になる場合があった。さらに、配線上で、不要放射抑制素子を格納するだけの空間を確保する必要があるため、筐体内部の部品配置の自由度が低下するという問題があった。
【０００５】
このような従来技術の問題点に着目し、本発明の第一の目的は、エンタテインメント装置への取付けが容易なスイッチとインレットを備えたスイッチ・インレットユニットを提供することである。
【０００６】
また、本発明の第二の目的は、組立てが容易な構造を有するスイッチ・インレットユニットを提供することである。
【０００７】
さらに、本発明の第三の目的は、不要放射抑制素子を配線の途中に設ける必要のないスイッチ・インレットユニットを提供することである。
【０００８】
【課題を解決するための手段】
前記第一の目的を達成するためのスイッチ・インレットユニットは、
電子機器に取り付けて使用されるスイッチ・インレットユニットであって、
電源スイッチと、インレットと、前記電源スイッチおよび前記インレッを収容するケースとを備え、
前記電源スイッチの端子と前記インレットの端子とは、前記ケースの内部で電気的に接合され、
前記電源スイッチの操作部分と前記インレットの挿入孔とが、前記ケースの同一面側に並んでいることを特徴とする。
【０００９】
前記第二の目的を達成するためのスイッチ・インレットユニットは、
前記スイッチ・インレットユニットにおいて、
前記ケースは、ケース本体と、当該ケース本体に着脱可能な蓋体とを有し、
前記ケース本体に前記電源スイッチと前記インレットを保持することを特徴とする。
【００１０】
前記第三の目的を達成するためのスイッチ・インレットユニットは、
前記蓋体は電源配線を貫通させる貫通孔を有し、
当該貫通孔に電源配線が貫通し、
前記蓋体は不要放射抑制素子を装着するための突起部を有し、
前記貫通孔は当該突起部を貫通していることを特徴とする。
【００１１】
【発明の実施の形態】
以下、本発明に係るスイッチ・インレットユニットの実施形態について、図面を用いて説明する。
【００１２】
図１には、スイッチ・インレットユニット１（以下、単に「ユニット」と称する。）の正面斜視図を示す。図２には、ケースの背面斜視図を示す。図１及び図２に示すように、ユニット１は、絶縁素材で形成されたケース１００と、電源スイッチ１０１（以下、単に「スイッチ」と称する。）と、インレット１０２とを有する。なお、本ユニット１に、引き出し用の配線１５０を予め接続して、スイッチ・インレットユニット１とする構成としてもよい。
【００１３】
ケース１００は、ケース本体１０３と、ケース本体１０３の背面側に着脱可能に取り付けられる蓋体１２０とで構成される。スイッチ１０１とインレット１０２とは、ケース１００に収容される。具体的には、ケース本体１０３の正面にスイッチ１０１の操作部１１１とインレット１０２の挿入孔１１２とが配置される。スイッチ１０１の操作部１１１とインレット１０２の挿入孔１１２の周囲には、ユニット１００をエンタテインメント装置に取りつけるときに用いる固定用板１０４を備える。固定用板１０４は、ケース本体１０３と一体に設けることができる。
【００１４】
ケース１００から蓋体１２０を取り外したときの、ケース本体１０３の内部の様子を図４及び図５に示す。
【００１５】
スイッチ１０１の背面に、配線１５０を接続する一対の端子１１１と、インレットと接続するための一対の端子１１２とがある。インレット１０３の背面にはスイッチの端子１１２と接続するための一対の端子１１３がある。端子１１１に接続されている配線１５０は、蓋体１２０の突起部１２２にある貫通孔１２３から、ユニット１外部へ引き出される。
【００１６】
スイッチの端子１１２とインレットの端子１１３はそれぞれ金属部材１１４で接続されている。端子１１２、１１３と金属部材１１４の接合部は半田付けされている。
【００１７】
図６は、図４のＡ−Ａ’断面図である。端子１１２、１１３と導電性部材１１４とが半田１１５によって接合されている。金属部材１１４は、板状をしている。
【００１８】
図７は、図４のＢ−Ｂ’断面図である。端子１１１は、突起部１２２内に格納されていて、保護されている。突起部１２２に着脱可能に取りつけられたフェライトコア１６０が簡単に脱落しないように、突起部１２２の先端には係止部１２２ａが設けられている。
【００１９】
ケース本体１０３からはずしたときの蓋体１２０の様子を図３に示す。
【００２０】
蓋体１２０は、側面にケース本体１０３に係止するための係止部１０６と、背面に突起部１２２と、保護壁１２１とを有する。
【００２１】
突起部１２２は、電源配線１５０を引き出すための貫通孔１２３を備える。貫通孔１２３の内部には、端子１１１が格納される。蓋体１２０は絶縁性の素材で構成され、突起部１２２の外形は、中空円筒状の不要放射抑制素子、例えば、フェライトコア１６０を装着することができる形状と大きさとを有する。突起部１２２の先端には、フェライトコア１６０を係止するための係止部１２２ａをさらに備える。
【００２２】
蓋体１２０が係止部１０６によってケース本体１０３に係止されたときの状態が図１及び図２である。配線１５０の先端には、他の機器に接続するためのソケット１７０が接続されている。さらに、突起部１２２には、フェライトコア１６０が装着されている。フライトコア１６０は、突起部１２２に接着剤等で固定してもよいし、突起部１２２に設けられた係止部１２２ａによって着脱可能に係止してもよい。蓋体１２０に取りつけられたフェライトコア１６０は、保護壁１２１によって保護される。
【００２３】
本ユニット１をエンタテインメント装置３００に取り付けたときの、当該装置の外観を図８に示す。ユニット１は、エンタテインメント装置３００の背面に、スイッチ１０１の操作部１１１とインレット１０２の挿入孔１１２が露出するように、筐体３０１に取りつけられる。
【００２４】
また、このときのエンタテインメント装置３００の内部構造を図９に示す。エンタテインメント装置３００は、少なくとも筐体３０１と、筐体３０１に取りつけられた本ユニット１と、電源ユニット３０２と、コネクタユニット３０３と、ディスクユニット３０４と、排気ファン３０５とを備える。そして、本ユニット１と電源ユニットが配線１５０によって接続されている。
【００２５】
このように、本発明のスイッチ・インレットユニット１は、スイッチ１０１とインレット１０２とが、ケース１００に収容された構造で、予め配線もされている。従って、従来のようにスイッチとインレットのそれぞれのエンタテインメント装置に別々に取りつけて、配線する必要がなく、容易に取りつけることができる。また、スイッチの操作部とインレットの挿入孔がケースの同一面に並んで配置されているので、本ユニット１をエンタテインメント装置に取り付けたときにも、操作が容易である。
【００２６】
ユニット１のケース１００は、ケース本体１０３と蓋体１２０の２つのパーツからなっており、部品点数が少なく、組立ても容易である。
【００２７】
ケース本体１０３の内部で、スイッチ１０１およびインレット１０２の端子が並んでいるので、ケース本体１０３内の配線作業をするときに、作業が容易になる。
【００２８】
スイッチの端子１１１は、ケース背面に対して垂直に立っていて、蓋体１２０の突起部１２２に格納されている。この端子１１１には、配線１５０が接続されていて、突起部１２２の貫通孔１２３から引き出されている。この突起部１２２にフェライトコア１６０を装着することで、従来のように、配線に直接フェライトコア１６０を通さなくても、従来と同様の効果を得ることができる。
【００２９】
例えば、図１０に、本実施形態に係るユニット１を用い、フェライトコア１６０を配線１５０に装着した場合を示す。この図に示すように、蓋体１２０にフェライトコア１６０が固定されていないと、フェライトコア１６０が配線１５０上に存在する。このため、エンタテインメント装置３００の組立て作業が面倒である。これに対して、図９のようにフェライトコア１６０を蓋体１２０に固定すると、エンタテインメント装置３００の組立て作業が容易になる。さらに、エンタテインメント装置３００内部の部品配置の設計をするときは、ユニット１の配置のみを考慮すればよく、設計の自由度が向上する。
【００３０】
【発明の効果】
本発明によれば、エンタテインメント装置の組立てを容易にするためのスイッチとインレットを備えたスイッチ・インレットユニットを提供することができる。
【００３１】
また、本発明によれば、組立てが容易な構造を有するスイッチ・インレットユニットを提供することができる。
【００３２】
さらに、エンタテインメント装置の内部構造を簡素化するために、不要放射抑制素子が着脱可能なスイッチ・インレットユニットを提供することができる。
【図面の簡単な説明】
【図１】本発明に係るスイッチ・インレットユニットの正面斜視図である。
【図２】本発明に係るスイッチ・インレットユニットの背面斜視図である。
【図３】本発明に係るスイッチ・インレットユニットの蓋体の構造を示す斜視図である。
【図４】本発明に係るスイッチ・インレットユニットのケース内部の様子を表す背面図である。
【図５】本発明に係るスイッチ・インレットユニットのケース内部の様子を表す背面斜視図である。
【図６】本発明に係るスイッチ・インレットユニットのＡ−Ａ’断面図である。
【図７】本発明に係るスイッチ・インレットユニットのＢ−Ｂ’断面図である。
【図８】本発明に係るスイッチ・インレットユニットをエンタテインメント装置に組み込んだときの様子を表す説明図である。
【図９】本発明に係るスイッチ・インレットユニットをエンタテインメント装置に組み込んだときの内部構造を表す説明図である。
【図１０】フェライトコアを配線に取り付けたときのエンタテインメント装置内部の構造を表す説明図である。
【図１１】従来技術にかかる電源スイッチとＡＣインレットの配置図である。
【符号の説明】
１…スイッチ・インレットユニット、１００…ケース、１０１…電源スイッチ、１０２…インレット、１０３…ケース本体、１１１…端子、１１２…端子、１１３…端子、１１５…半田、１２０…蓋体、１２２…突起部、１２３…貫通孔、１６０…フェライトコア、３００…エンタテインメント装置。
【図１】
0003593285.tif 000002
【図２】
0003593285.tif 000003
【図３】
0003593285.tif 000004
【図４】
0003593285.tif 000005
【図５】
0003593285.tif 000006
【図６】
0003593285.tif 000007
【図７】
0003593285.tif 000008
【図８】
0003593285.tif 000009
【図９】
0003593285.tif 000010
【図１０】
0003593285.tif 000011
【図１１】
0003593285.tif 000012